(57)【要約】【課題】  被管理者の居場所がスケジュールに合致するか否かを管理する。【解決手段】  無線通信が可能な携帯端末１００である。位置情報取得手段２０により取得された当該携帯端末１００の位置情報が、管理されたスケジュールと合致するか否かを判定する判定手段４０を備える。判定手段４０により合致しないと判定された場合に、その旨を、予め設定された通知先に対して無線通信により通知する通知手段４０，１０を備える。【選択図】    図２
2006174013.tif 000002
【特許請求の範囲】
【請求項１】
無線通信が可能な携帯端末において、
スケジュールを管理するスケジュール管理手段と、
当該携帯端末の位置情報を取得する位置情報取得手段と、
前記位置情報取得手段により取得された位置情報が、前記スケジュール管理手段により管理されたスケジュールと合致するか否かを判定する判定手段と、
予め設定された通知先に対して無線通信により通知を行う通知手段と、
を備え、
前記通知手段は、前記判定手段により合致しないと判定された場合に、その旨を、前記予め設定された通知先に対して通知することを特徴とする携帯端末。
【請求項２】
前記スケジュール管理手段により管理するスケジュールの変更操作を行うための操作部と、
前記操作部がスケジュールの変更操作を受け付けた場合に、スケジュールの変更処理を行う管理スケジュール変更手段を備え、
前記通知手段は、前記管理スケジュール変更手段がスケジュールの変更処理を行った場合に、スケジュールが変更された旨及びその変更内容を、前記予め設定された通知先に対して通知することを特徴とする請求項１に記載の携帯端末。
【請求項３】
外部の装置からのスケジュール変更指示を受けた場合に、スケジュールの変更処理を行う管理スケジュール変更手段を備えることを特徴とする請求項１に記載の携帯端末。
【請求項４】
前記管理スケジュール変更手段によりスケジュールの変更処理がなされた場合に、スケジュールが変更された旨及びその変更内容を報知する報知手段を備えることを特徴とする請求項３に記載の携帯端末。
【請求項５】
前記スケジュール管理手段により管理するスケジュールの変更操作を行うための操作部と、
前記操作部がスケジュールの変更操作を受け付けるか、又は、外部の装置からのスケジュール変更指示を受けた場合に、スケジュールの変更処理を行う管理スケジュール変更手段と、
を備え、
前記操作部に対する操作に基づき前記管理スケジュール変更手段がスケジュールの変更処理を行った場合には、前記通知手段が、スケジュールが変更された旨及びその変更内容を前記予め設定された通知先に対して通知することを特徴とする請求項１に記載の携帯端末。
【請求項６】
外部の装置からのスケジュール変更指示に基づき前記管理スケジュール変更手段がスケジュールの変更処理を行った場合に、スケジュールが変更された旨及びその変更内容を報知する報知手段を備えることを特徴とする請求項５に記載の携帯端末。
【請求項７】
前記判定手段は、当該携帯端末が、前記スケジュール管理手段により管理されたスケジュールと合致する場所に、当該スケジュールの時間を超えて留まっているか否かの判定も行い、
前記通知手段は、前記判定手段により、当該携帯端末がスケジュールの時間を超えて留まっていると判定された場合にも、その旨を、前記予め設定された通知先に対して通知することを特徴とする請求項１乃至６の何れか一項に記載の携帯端末。
【請求項８】
前記判定手段は、当該携帯端末が、前記スケジュール管理手段により管理されたスケジュールが終わる以前に、当該スケジュールとは合致しない場所に移動したか否かの判定も行い、
前記通知手段は、前記判定手段により、スケジュールが終わる以前に当該スケジュールとは合致しない場所に当該携帯端末が移動したと判定された場合にも、その旨を、前記予め設定された通知先に対して通知することを特徴とする請求項１乃至７の何れか一項に記載の携帯端末。
【請求項９】
前記位置情報取得手段により取得される位置情報に基づいて、当該携帯端末が予め設定された指定範囲外に位置するか否かを監視する監視手段を備え、
前記通知手段は、前記監視手段により、当該携帯端末が前記指定範囲外に位置していると判定された場合に、その旨を、前記予め設定された通知先に対して通知することを特徴とする請求項１乃至８の何れか一項に記載の携帯端末。
【請求項１０】
前記予め設定された通知先は、当該携帯端末を携帯する者を管理する管理者の端末装置であることを特徴とする請求項１乃至９の何れか一項に記載の携帯端末。
【請求項１１】
前記管理者の端末装置は、携帯端末であることを特徴とする請求項１０に記載の携帯端末。
【請求項１２】
前記管理者の携帯端末は、携帯電話機であることを特徴とする請求項１１に記載の携帯端末。
【請求項１３】
当該携帯端末は、携帯電話機であることを特徴とする請求項１乃至１２の何れか一項に記載の携帯端末。
【請求項１４】
当該携帯端末は、飼育動物により携帯されることを特徴とする請求項１乃至９の何れか一項に記載の携帯端末。
【請求項１５】
当該携帯端末を前記飼育動物の体に装着するための装着部を備えることを特徴とする請求項１４に記載の携帯端末。
【請求項１６】
前記装着部は、前記飼育動物の首に装着される首輪からなることを特徴とする請求項１５に記載の携帯端末。
【請求項１７】
前記予め設定された通知先は、当該携帯端末を携帯する飼育動物を管理する管理者の端末装置であることを特徴とする請求項１４乃至１６の何れか一項に記載の携帯端末。
【請求項１８】
前記管理者の端末装置は、携帯端末であることを特徴とする請求項１７に記載の携帯端末。
【請求項１９】
前記管理者の携帯端末は、携帯電話機であることを特徴とする請求項１８に記載の携帯端末。
【請求項２０】
請求項１乃至１９の何れか一項に記載の携帯端末と、
無線通信網と、
前記無線通信網を介して前記携帯端末との間で無線通信が可能な端末装置と、
を備え、
前記携帯端末の前記通知手段は、前記判定手段により合致しないと判定された場合に、その旨を、前記予め設定された通知先としての前記端末装置に対して、前記無線通信網を介して通知することを特徴とする位置管理システム。
【請求項２１】
携帯端末において管理しているスケジュールの時間が到来したか否かの判定を当該携帯端末が行うスケジュール時間判定工程と、
前記スケジュール時間判定工程により前記スケジュールの時間が到来したと判定された場合に、前記携帯端末が当該携帯端末の位置情報を取得する位置情報取得工程と、
前記位置情報取得工程にて取得した位置情報が、前記スケジュールと合致するか否かの判定を前記携帯端末が行う判定工程と、
前記判定工程により合致しないと判定された場合に、その旨を、前記携帯端末から、予め設定された通知先に対して通知する通知工程と、
を備えることを特徴とする位置管理方法。
【請求項２２】
コンピュータが実行可能なプログラムにおいて、
携帯端末において管理しているスケジュールの時間が到来したか否かの判定を行うスケジュール時間判定処理と、
前記スケジュール時間判定処理により前記スケジュールの時間が到来したと判定された場合に、前記携帯端末の位置情報を取得する位置情報取得処理と、
前記位置情報取得処理により取得した位置情報が、前記スケジュールと合致するか否かを判定する判定処理と、
前記判定処理により合致しないと判定された場合に、その旨を、予め設定された通知先に対して通知する通知処理と、
を実行することを特徴とするプログラム。
【請求項２３】
コンピュータ読み取り可能な記録媒体において、請求項２２に記載のプログラムを格納したことを特徴とする記録媒体。
【発明の詳細な説明】
【技術分野】
【０００１】
本発明は、携帯端末、位置管理システム、位置管理方法、プログラム及び記録媒体に関する。
【背景技術】
【０００２】
従来、例えば、被管理者（幼い子供など）の居場所を管理者（親など）により管理するための技術が、例えば、特許文献１，２に開示されている。
【０００３】
特許文献１には、被管理者の携帯端末が指定範囲外に移動したか否かの判定を管理システムの中央コンピュータにて行い、指定範囲外に移動したと判定した場合には、非常事態を知らせるアラーム情報を中央コンピュータから管理者の携帯端末に発信する技術が開示されている。
【０００４】
同様に、特許文献２には、被管理者の携帯端末の位置が予定位置と一致するか否かの判定を管理装置にて行い、一致しないと判定した場合には、その旨を管理者の携帯端末に発信する技術が開示されている。
【０００５】
被管理者の携帯端末の位置情報の演算は、特許文献１の場合には、該携帯端末が通信を行う基地局の位置に基づいて中央コンピュータにて行う一方で、特許文献２の場合には、該携帯端末が備えるＧＰＳ（Ｇｌｏｂａｌ  Ｐｏｓｉｔｉｏｎｉｎｇ  Ｓｙｓｔｅｍ）受信機などの位置情報取得手段が行う。
【０００６】
また、特許文献１、２の何れの場合にも、被管理者の携帯端末の指定範囲（予定位置）が、管理者により予め時間とともに設定される。
【０００７】
なお、特許文献３には、携帯端末が、使用者のスケジュール（行動予定及び予定位置情報）を管理するスケジュール管理機能と、ＧＰＳ受信機などの位置情報取得手段と、を備え、位置情報取得手段により取得した位置情報と、登録されたスケジュールの予定位置情報と、の間に差異が発生している場合には、その旨を使用者に報知する技術が開示されている。
【特許文献１】特開２００２−０２７５２８号公報
【特許文献２】特開２００４−１８５３２９号公報
【特許文献３】特開２００３−０７８９４４号公報
【発明の開示】
【発明が解決しようとする課題】
【０００８】
しかしながら、特許文献１では、被管理者の携帯端末の位置情報の演算と、該携帯端末が指定範囲外に移動したか否かの判定と、指定範囲外に移動したと判定した場合にアラーム情報を管理者の携帯端末に発信する動作と、を管理システムの中央コンピュータが行うため、この中央コンピュータが必要である。
【０００９】
また、特許文献２の場合にも、被管理者の携帯端末の位置が予定位置と一致するか否かの判定と、一致しないと判定した場合にその旨を管理者の携帯端末に発信する動作と、を管理装置が行うため、この管理装置が必要である。
【００１０】
更に、これら特許文献１、２の場合、被管理者の携帯端末の指定範囲（予定位置）が、管理者により予め時間とともに設定されているのが前提条件であるため、被管理者がスケジュールを変更することができないという問題がある。このため、被管理者が設定された時間からズレて行動した場合には、非常事態でないにもかかわらず管理者宛に不必要な通知が発信されてしまうという問題がある。
【００１１】
なお、特許文献３は、被管理者の居場所を管理者により管理するための技術ではない。このため、取得した位置情報と登録されたスケジュールの予定位置情報との間に差異が発生してもその旨を管理者に通知したりはせず、従って、管理者が被管理者の居場所を管理することができない。
【００１２】
本発明は、上記のような問題点を解決するためになされたもので、上記特許文献１，２の中央コンピュータ、管理装置に相当する構成を不要とし、好ましくは、被管理者側にてスケジュールを変更することが可能な携帯端末、位置管理システム、位置管理方法、プログラム及び記録媒体を提供することを目的とする。
【課題を解決するための手段】
【００１３】
上記課題を解決するため、本発明の携帯端末は、無線通信が可能な携帯端末において、スケジュールを管理するスケジュール管理手段と、当該携帯端末の位置情報を取得する位置情報取得手段と、前記位置情報取得手段により取得された位置情報が、前記スケジュール管理手段により管理されたスケジュールと合致するか否かを判定する判定手段と、予め設定された通知先に対して無線通信により通知を行う通知手段と、を備え、前記通知手段は、前記判定手段により合致しないと判定された場合に、その旨を、前記予め設定された通知先に対して通知することを特徴としている。
【００１４】
本発明の携帯端末においては、前記スケジュール管理手段により管理するスケジュールの変更操作を行うための操作部と、前記操作部がスケジュールの変更操作を受け付けた場合に、スケジュールの変更処理を行う管理スケジュール変更手段を備え、前記通知手段は、前記管理スケジュール変更手段がスケジュールの変更処理を行った場合に、スケジュールが変更された旨及びその変更内容を、前記予め設定された通知先に対して通知することが好ましい。
【００１５】
本発明の携帯端末においては、外部の装置からのスケジュール変更指示を受けた場合に、スケジュールの変更処理を行う管理スケジュール変更手段を備えることが好ましい。
【００１６】
この場合、前記管理スケジュール変更手段によりスケジュールの変更処理がなされた場合に、スケジュールが変更された旨及びその変更内容を報知する報知手段を備えることが好ましい。
【００１７】
本発明の携帯端末においては、前記スケジュール管理手段により管理するスケジュールの変更操作を行うための操作部と、前記操作部がスケジュールの変更操作を受け付けるか、又は、外部の装置からのスケジュール変更指示を受けた場合に、スケジュールの変更処理を行う管理スケジュール変更手段と、を備え、前記操作部に対する操作に基づき前記管理スケジュール変更手段がスケジュールの変更処理を行った場合には、前記通知手段が、スケジュールが変更された旨及びその変更内容を前記予め設定された通知先に対して通知することが好ましい。
【００１８】
この場合、外部の装置からのスケジュール変更指示に基づき前記管理スケジュール変更手段がスケジュールの変更処理を行った場合に、スケジュールが変更された旨及びその変更内容を報知する報知手段を備えることが好ましい。
【００１９】
本発明の携帯端末においては、前記判定手段は、当該携帯端末が、前記スケジュール管理手段により管理されたスケジュールと合致する場所に、当該スケジュールの時間を超えて留まっているか否かの判定も行い、前記通知手段は、前記判定手段により、当該携帯端末がスケジュールの時間を超えて留まっていると判定された場合にも、その旨を、前記予め設定された通知先に対して通知することが好ましい。
【００２０】
本発明の携帯端末においては、前記判定手段は、当該携帯端末が、前記スケジュール管理手段により管理されたスケジュールが終わる以前に、当該スケジュールとは合致しない場所に移動したか否かの判定も行い、前記通知手段は、前記判定手段により、スケジュールが終わる以前に当該スケジュールとは合致しない場所に当該携帯端末が移動したと判定された場合にも、その旨を、前記予め設定された通知先に対して通知することが好ましい。
【００２１】
本発明の携帯端末においては、前記位置情報取得手段により取得される位置情報に基づいて、当該携帯端末が予め設定された指定範囲外に位置するか否かを監視する監視手段を備え、前記通知手段は、前記監視手段により、当該携帯端末が前記指定範囲外に位置していると判定された場合に、その旨を、前記予め設定された通知先に対して通知することが好ましい。
【００２２】
本発明の携帯端末においては、前記予め設定された通知先は、当該携帯端末を携帯する者を管理する管理者の携帯端末であることが好ましい。
【００２３】
本発明の携帯端末においては、前記管理者の端末装置は、例えば携帯電話機或いはその他の携帯端末であることを好ましい一例としている。
【００２４】
本発明の携帯端末は、携帯電話機であることを好ましい一例としている。
【００２５】
本発明の携帯端末は、飼育動物により携帯されるものであることも好ましい。
【００２６】
この場合、本発明の携帯端末は、当該携帯端末を前記飼育動物の体に装着するための装着部（首輪など）を備えることが好ましい。
【００２７】
本発明の携帯端末においては、前記予め設定された通知先は、当該携帯端末を携帯する飼育動物を管理する管理者の端末装置であることが好ましい。
【００２８】
この場合、前記管理者の端末装置は、携帯電話機或いはその他の携帯端末であることを好ましい一例としている。
【００２９】
また、本発明の位置管理システムは、本発明の携帯端末と、無線通信網と、前記無線通信網を介して前記携帯端末との間で無線通信が可能な端末装置と、を備え、前記携帯端末の前記通知手段は、前記判定手段により合致しないと判定された場合に、その旨を、前記予め設定された通知先としての前記端末装置に対して、前記無線通信網を介して通知することを特徴としている。
【００３０】
また、本発明の位置管理方法は、携帯端末において管理しているスケジュールの時間が到来したか否かの判定を当該携帯端末が行うスケジュール時間判定工程と、前記スケジュール時間判定工程により前記スケジュールの時間が到来したと判定された場合に、前記携帯端末が当該携帯端末の位置情報を取得する位置情報取得工程と、前記位置情報取得工程にて取得した位置情報が、前記スケジュールと合致するか否かの判定を前記携帯端末が行う判定工程と、前記判定工程により合致しないと判定された場合に、その旨を、前記携帯端末から、予め設定された通知先に対して通知する通知工程と、を備えることを特徴としている。
【００３１】
また、本発明のプログラムは、コンピュータが実行可能なプログラムにおいて、携帯端末において管理しているスケジュールの時間が到来したか否かの判定を行うスケジュール時間判定処理と、前記スケジュール時間判定処理により前記スケジュールの時間が到来したと判定された場合に、前記携帯端末の位置情報を取得する位置情報取得処理と、前記位置情報取得処理により取得した位置情報が、前記スケジュールと合致するか否かを判定する判定処理と、前記判定処理により合致しないと判定された場合に、その旨を、予め設定された通知先に対して通知する通知処理と、を実行することを特徴としている。
【００３２】
また、本発明の記録媒体は、コンピュータ読み取り可能な記録媒体において、本発明のプログラムを格納したことを特徴としている。
【発明の効果】
【００３３】
本発明によれば、携帯端末の判定手段は、位置情報取得手段により取得された位置情報がスケジュールと合致するか否かを判定し、スケジュールと合致しないと判定した場合には、その旨を、予め設定された通知先に対して携帯端末の通知手段が通知するので、例えば、管理者は、被管理者がスケジュールと合致しない行動をとった場合に、直ちにその旨を認識することができる。よって、管理者は、直ちに被管理者に対して連絡を行ったり、事件発生を認識して行方を追跡したり、早期に調査に取り組み始めたりすることができる。また、例えば、誘拐事件などで隣町などに連れ去られた際には、何処に連れ去られたのかを認識することができる。
【００３４】
また、携帯端末の位置情報を取得する動作と、取得した位置情報がスケジュールと合致するか否かを判定する動作と、スケジュールと合致しないと判定した場合にその旨を予め設定された通知先に通知する動作と、を全て携帯端末が行うので、例えば特許文献１，２における中央コンピュータや管理装置に相当する構成が不要となる。
【発明を実施するための最良の形態】
【００３５】
以下、図面を参照して、本発明に係る実施形態について説明する。
【００３６】
〔第１の実施形態〕
第１の実施形態では、被管理者（例えば幼い子供など）の居場所を管理者（例えば親など）により管理するために本発明に係る位置管理システムを適用した例を説明する。
【００３７】
図１は、第１の実施形態に係る位置管理システム１０００の全体構成を示す模式図である。
【００３８】
図１に示すように、本実施形態に係る位置管理システム１０００は、被管理者が所持する被管理者用携帯電話機（携帯端末）１００と、管理者が所持する管理者用携帯電話機（管理者の端末装置（携帯端末）、予め設定された通知先）２００と、ＧＰＳ衛星３００と、基地局４００を備える無線通信網（全体図示略）と、を備えて構成されている。
【００３９】
図２は、被管理者用携帯電話機１００の主要な構成を示すブロック図である。
【００４０】
図２に示すように、被管理者用携帯電話機１００は、アンテナ（図示略）を備える無線部１０と、当該被管理者用携帯電話機１００の現在位置情報を取得する位置情報取得部２０と、現在時刻などの計時動作を行う計時部３０と、制御部４０と、操作キーなどを備えて構成された操作部５０と、表示動作を行う液晶表示装置などからなる表示部６０と、スピーカからなる発音部７０と、を備えて構成されている。
【００４１】
このうち無線部１０は、アンテナ（図示略）を介して基地局４００との間で無線通信を行い、電子メール或いはショートメッセージなどの送受信や通話を実現させる。
【００４２】
位置情報取得部（位置情報取得手段）２０は、本実施形態の場合、例えば、ＧＰＳ衛星３００からの信号電波を受信するＧＰＳ受信機などを備えて構成され、該ＧＰＳ受信機により受信する信号電波に基づいて、被管理者用携帯電話機１００の現在位置情報を生成し、該生成した現在位置情報を制御部４０に送信する。
【００４３】
表示部６０は、制御部４０の制御下で文字情報や画像などの表示動作を行う。
【００４４】
発音部７０は、制御部４０の制御下で通話音や着信音などの音声を発音する。
【００４５】
制御部４０は、例えば、ＣＰＵ（Ｃｅｎｔｒａｌ  Ｐｒｏｃｅｓｓｉｎｇ  Ｕｎｉｔ）４１、ＲＯＭ（Ｒｅａｄ  Ｏｎｌｙ  Ｍｅｍｏｒｙ）４２及びＲＡＭ（Ｒａｎｄｏｍ  Ａｃｃｅｓｓ  Ｍｅｍｏｒｙ）４３を備えて構成されている。このうち、ＲＯＭ４２には、ＣＰＵ４１の制御プログラム（プログラム）が格納され、ＣＰＵ４１は、この制御プログラムに従って、各種の制御動作を行う。また、ＲＡＭ４３は、ＣＰＵ４１の作業領域などとして機能する。
【００４６】
また、制御部４０は、スケジュール管理を行うスケジュール管理手段としての機能を有する。すなわち、操作部５０がスケジュールの入力操作（登録操作）を受け付けると、制御部４０のＣＰＵ４１は、このスケジュールに関する情報をＲＡＭ４３に格納する。なお、スケジュール１件につき、少なくとも、例えば、用件、日時及び場所の情報が管理されるものとする。
【００４７】
また、制御部４０は、位置情報取得部３０により取得された現在位置情報が、当該制御部４０により管理しているスケジュール（の場所の情報）と合致するか否かを判定する判定手段としての機能を有している。
【００４８】
すなわち、制御部４０は、計時部３０から通知される現在時刻情報を常時監視することにより、管理している何れかのスケジュールの開始時間が到来したか否かを判定し、到来しと判定した場合には、位置情報取得部３０に対して指令を送信し、現在位置情報を取得させる。指令を受けた位置情報取得部３０は、ＧＰＳ衛星３００からの信号電波に基づいて現在位置情報を生成し、該生成した現在位置情報を制御部４０に送信する。制御部４０は、位置情報取得部３０より受信した現在位置情報と、開始時間の到来したスケジュールの場所と、が合致するか否かを判定する。
【００４９】
ここで、現在位置情報と、スケジュールの場所の情報（以下、予定位置情報）と、が合致すると判定するのは、予定位置情報と現在位置情報とが完全に一致する場合に限らない。例えば、現在位置情報が示す位置が、予定位置情報が示す位置を中心とした所定の許容範囲内（例えば所定半径の円内）の位置である場合も、合致すると判定することが好ましい。
【００５０】
更に、制御部４０は、このような判定動作の結果、合致しない旨の判定をした場合には、その旨を管理者用携帯電話機２００に対して通知する処理を行う。すなわち、制御部４０は、取得された現在位置情報がスケジュールと合致しない旨を判定をした場合には、その旨を示す通知（例えば、電子メール或いはショートメッセージ）を、管理者用携帯電話機２００宛に送信する処理を無線部１０に行わせる（無線部１０に対し指令を送信する）。
【００５１】
管理者用携帯電話機２００からの指令を受けた無線部１０は、取得された現在位置情報がスケジュールと合致しない旨を示す通知を、基地局４００に対し送信する。その結果、該通知は、基地局４００を含む無線通信網を介して、管理者用携帯電話機２００に対して送信される。
【００５２】
管理者は、管理者用携帯電話機２００にて受信した通知を確認することにより、被管理者用携帯電話機１００がスケジュールと合致しない場所に位置する旨を認識することができる。
【００５３】
ここで、無線部１０及び制御部４０は、通知手段として機能する。
【００５４】
なお、合致しない旨を通知する際には、例えば、被管理者用携帯電話機１００の現在位置が何処であるのかを示す現在位置情報も併せて通知する。
【００５５】
また、制御部４０は、位置情報取得部３０により取得された現在位置情報が示す位置が、予め設定された指定範囲外であるか否かを監視する監視手段としての機能も有している。
【００５６】
すなわち、制御部４０は、計時部３０から通知される計時情報に基づき、所定時間毎に、監視手段としての監視動作を行う。この監視動作において、制御部４０は、位置情報取得部３０に対して指令を送信し、現在位置情報を取得させる。指令を受けた位置情報取得部３０は、ＧＰＳ衛星３００からの信号電波に基づいて現在位置情報を生成し、該生成した現在位置情報を制御部４０に送信する。制御部４０は、位置情報取得部３０より受信した現在位置情報が示す位置が、予め設定された指定範囲外であるか否かを判定する。
【００５７】
この判定動作の結果、指定範囲外であると判定した場合には、制御部４０は、被管理者用携帯電話機１００が指定範囲外に移動した旨を管理者用携帯電話機２００に対して通知する処理を行う。すなわち、制御部４０は、被管理者用携帯電話機１００が指定範囲外に移動した旨を示す通知（例えば、電子メール或いはショートメッセージ）を、管理者用携帯電話機２００宛に送信する処理を無線部１０に行わせる（無線部１０に対し指令を送信する）。
【００５８】
管理者用携帯電話機２００からの指令を受けた無線部１０は、被管理者用携帯電話機１００が指定範囲外に移動した旨を示す通知を、基地局４００に対し送信する。その結果、該通知は、基地局４００を含む無線通信網を介して、管理者用携帯電話機２００に対して送信される。
【００５９】
管理者は、管理者用携帯電話機２００にて受信した通知を確認することにより、被管理者用携帯電話機１００が指定範囲外に移動したことを認識することができる。
【００６０】
また、被管理者用携帯電話機１００は、既に登録（管理）されているスケジュールを変更する機能も備えている。すなわち、操作部５０がスケジュールの変更操作を受け付けると、制御部４０のＣＰＵ４１は、このスケジュールに関するＲＡＭ４３内の情報を更新する。ここで、制御部４０は、管理スケジュール変更手段として機能する。
【００６１】
更に、このようにスケジュールが変更されると、制御部４０は、スケジュールが変更された旨及びその変更内容を管理者用携帯電話機２００に対して通知する処理を無線部１０との協働で行う（予定変更通知）。すなわち、制御部４０は、スケジュールを変更する処理を行った場合には、スケジュールが変更された旨及びその変更内容を示す通知（例えば、電子メール或いはショートメッセージ）を、管理者用携帯電話機２００宛に送信する処理を無線部１０に行わせる。
【００６２】
なお、管理者用携帯電話機２００は、被管理者用携帯電話機１００と同様の構成であっても良いが、位置情報取得部２０は備えていなくても良い。また、管理者用携帯電話機２００は、スケジュール管理機能を備えていなくても良い。
【００６３】
次に、動作を説明する。
【００６４】
図３乃至図５は、第１の実施形態の場合の被管理者用携帯電話機１００の動作を示す一連のフローチャートである。なお、図３乃至図５の処理は、被管理者用携帯電話機１００により所定周期毎に繰り返し行われる。
【００６５】
この処理が開始されると、先ず、図３に示すように、被管理者用携帯電話機１００の制御部４０は、操作部３０に対するスケジュールの変更操作がなされたか否かを判定する（ステップＳ１）。
【００６６】
スケジュールの変更操作がなされたと判定した場合には（ステップＳ１のＹｅｓ）、制御部４０は、該当するスケジュールの内容を変更する処理を行う（ステップＳ２）一方で、そのスケジュールが変更された旨及びその変更内容（用件、時間、場所など）を管理者用携帯電話機２００に対して通知する処理（ステップＳ３）を無線部１０との協働で行う。すなわち、例えば、スケジュールが変更された旨及びその変更内容を示す電子メール或いはショートメッセージを管理者用携帯電話機２００に対して送信する処理を行う。
【００６７】
他方、スケジュールの変更操作がない場合には（ステップＳ１のＮｏ）、ステップＳ２及びＳ３をスキップする。
【００６８】
続いて、制御部４０は、何れかのスケジュールの時間が到来したか否かの判定を、計時部３０からの現在時刻情報に基づいて行う（ステップＳ４）。
【００６９】
何れかのスケジュールの時間が到来したと判定した場合（ステップＳ４のＹｅｓ）、制御部４０は、そのスケジュールの開始時間が到来した旨の報知を被管理者用携帯電話機１００にて既に行ったか否かの判定を行う（ステップＳ５）。
【００７０】
そのスケジュールの開始時間が到来した旨の報知を未だ行っていない場合（ステップＳ５のＮｏ）、制御部４０は、そのスケジュールの開始時間が到来した旨の報知を被管理者用携帯電話機１００の表示部６０或いは発音部７０に行わせる（ステップＳ６）。
【００７１】
すなわち、具体的には、例えば、発音部７０にアラーム音を発音させたり、或いは、表示部６０にポップアップメッセージを表示させたりすることにより、報知を行う。これにより、被管理者は、スケジュールの時間になったことを認識することができる。
【００７２】
続いて、後述する第１及び第２のフラグのうちの何れか１つ又は両方がＯＮであれば、ＯＮであるフラグを全てＯＦＦにする処理（ステップＳ７）を制御部４０が行ってから図４の処理に移行する。
【００７３】
他方、そのスケジュールの開始時間が到来した旨の報知を既に行っている場合（ステップＳ５のＹｅｓ）、ステップＳ６及びＳ７をスキップして図４の処理に移行する。
【００７４】
図４の処理では、制御部４０は、先ず、第１のフラグがＯＮであるか否かを判定する（ステップＳ１１）。ここで、第１フラグは、例えば、ＲＡＭ４３内の所定の記憶領域に記憶される情報であり、スケジュールが開始されてから最初に現在位置情報を取得した際にＯＮとされる（後述するステップＳ１３）。また、複数のスケジュールが登録されている場合には、前回のスケジュールの時間帯に実行されたステップＳ１３にて第１フラグがＯＮとされるが、この第１フラグは、今回のスケジュールが開始されて直後のステップＳ７（図３）にてＯＦＦとされている。
【００７５】
従って、スケジュールが開始されてから１サイクル目のステップＳ１１では、必ずＮｏ（第１フラグはＯＮではない）と判定される。
【００７６】
続くステップＳ１２では、制御部４０は、位置情報取得部３０に対して指令を送信し、現在位置情報を取得させる。指令を受けた位置情報取得部３０は、ＧＰＳ衛星３００からの信号電波に基づいて現在位置情報を生成し、該生成した現在位置情報を制御部４０に送信するので、制御部４０は、現在位置情報を位置情報取得部３０より受信する。
【００７７】
続いて、制御部４０は、第１フラグをＯＮにする処理（ステップＳ１３）を行う。
【００７８】
続いて、制御部４０は、先のステップＳ１２にて位置情報取得部３０より受信した現在位置情報と、開始時間の到来したスケジュールの場所と、が合致するか否かを判定する（ステップＳ１４）。
【００７９】
合致すると判定した場合（ステップＳ１４のＹｅｓ）、制御部４０が第２のフラグをＯＮにする処理（ステップＳ１５）を行ってから図４の処理を終了し、再び図３のステップＳ１からの処理を繰り返す。
【００８０】
ここで、第２フラグは、第１フラグと同様に、例えば、ＲＡＭ４３内の所定の記憶領域に記憶される情報であり、取得した現在位置情報と現在のスケジュールとが合致すると判定された場合に、ＯＮとされる（後述するステップＳ１５、Ｓ２４）。第２のフラグは、被管理者用携帯電話機１００が、少なくとも１度はスケジュールと合致する場所に位置したか否かの判定に用いられる履歴情報であり、第２フラグがＯＮとなることは、被管理者用携帯電話機１００が、少なくとも１度はスケジュールと合致する場所に位置したことを意味する。なお複数のスケジュールが登録されている場合で、前回のスケジュールの時間帯のステップＳ１５、Ｓ２４にて第２フラグがＯＮとされた場合にも、この第２フラグは、今回のスケジュールが開始されて直後のステップＳ７（図３）にてＯＦＦとされている。
【００８１】
上記のステップＳ１４の判定（取得した現在位置情報がスケジュールと合致するか否かの判定）の結果、合致しないと判定された場合（ステップＳ１４のＮｏ）、制御部４０は、その現在位置情報が、前回のスケジュールの場所と合致するか否かを判定する（ステップＳ１６）。
【００８２】
合致すると判定した場合（ステップＳ１６のＹｅｓ）、制御部４０は、（新しいスケジュールの開始時間になったにもかかわらず）被管理者用携帯電話機１００が前回のスケジュールの場所に留まっており、取得した現在位置情報が（今回の）スケジュールの場所と合致しない旨を示す通知を管理者用携帯電話機２００に対して送信する処理（ステップＳ２０）を行ってから図４の処理を終了し、再び図３のステップＳ１からの処理を繰り返す。
【００８３】
管理者は、この通知を確認することにより、被管理者用携帯電話機１００が前回のスケジュールの場所に留まっており、被管理者用携帯電話機１００の現在の位置が（現在の）スケジュールに合致しない旨を認識することができる。
【００８４】
また、上記のステップＳ１６の判定の結果、合致しないと判定された場合（ステップＳ１６のＮｏ）、制御部４０は、取得した現在位置情報が示す位置が、予め設定された指定範囲の外であるか否かを判定する処理（ステップＳ１７）を行う。
【００８５】
指定範囲外であると判定した場合（ステップＳ１７のＹｅｓ）、制御部４０は、被管理者用携帯電話機１００が指定範囲外に移動した旨を示す通知を管理者用携帯電話機２００に対して送信する処理（ステップＳ１８）を行ってから図４の処理を終了し、再び図３のステップＳ１からの処理を繰り返す。
【００８６】
管理者は、この通知を確認することにより、被管理者用携帯電話機１００が指定範囲外に移動した旨を認識することができる。
【００８７】
他方、指定範囲内であると判定した場合（ステップＳ１７のＮｏ）、制御部４０は、被管理者用携帯電話機１００が、指定範囲内ではあるが現在のスケジュールとは合致しない場所に位置している旨を示す通知を管理者用携帯電話機２００に対して送信する処理（ステップＳ１９）を行ってから図４の処理を終了し、再び図３のステップＳ１からの処理を繰り返す。
【００８８】
管理者は、この通知を確認することにより、被管理者用携帯電話機１００が、指定範囲内ではあるが現在のスケジュールとは合致しない場所に位置している旨を認識することができる。
【００８９】
次に、スケジュールが開始されてから２サイクル目以降で、且つ、スケジュールの終了時間が到来していない場合の図３乃至図５の処理を説明する。なお、簡単のため、スケジュールの変更操作はなされないものとする。
【００９０】
この場合、図３のステップＳ１ではＮｏ（スケジュール変更操作はなされていない）となり、ステップＳ４ではＹｅｓ（何れかのスケジュールの時間帯である）となり、ステップＳ５ではＹｅｓ（スケジュールの開始時間の報知は既に行った）となり、図４の処理に移行する。
【００９１】
図４のステップＳ１１では、スケジュールが開始されてから２サイクル目以降の処理においては、Ｙｅｓ（第１フラグはＯＮである）と判定される。続くステップＳ２１では、現在位置情報の取得動作を前回行ってから所定時間（例えば、１０分）が経過したか否かの判定を行う。
【００９２】
前回の取得動作（現在位置情報の取得動作）からの経過時間が所定時間未満の場合（ステップＳ２１のＮｏ）、図４の処理を終了し、再び図３のステップＳ１からの処理を繰り返す。
【００９３】
前回の取得動作からの経過時間が所定時間以上の場合（ステップＳ２１のＹｅｓ）、制御部４０は、位置情報取得部３０に対して指令を送信し、現在位置情報を取得させる。指令を受けた位置情報取得部３０は、ＧＰＳ衛星３００からの信号電波に基づいて現在位置情報を生成し、該生成した現在位置情報を制御部４０に送信するので、制御部４０は、現在位置情報を位置情報取得部３０より受信する（ステップＳ２２）。
【００９４】
続いて、制御部４０は、先のステップＳ２２にて位置情報取得部３０より受信した現在位置情報と、現在のスケジュールの場所と、が合致するか否かを判定する（ステップＳ２３）。
【００９５】
合致すると判定した場合（ステップＳ２３のＹｅｓ）、制御部４０が第２フラグをＯＮにする処理（ステップＳ２４）を経て、図４の処理を終了し、再び図３のステップＳ１からの処理を繰り返す。
【００９６】
他方、合致しないと判定された場合（ステップＳ２３のＮｏ）、制御部４０は、第２フラグがＯＮであるか否かを判定し（ステップＳ２５）、ＯＮであると判定した場合（ステップＳ２５のＹｅｓ）、取得した現在位置情報が示す位置が、予め設定された指定範囲の外であるか否かを判定する処理（ステップＳ２６）を行う。
【００９７】
指定範囲外であると判定した場合（ステップＳ２６のＹｅｓ）、制御部４０は、被管理者用携帯電話機１００が一旦はスケジュールと合致する場所に位置したものの、スケジュールが終了する以前に指定範囲外に移動した旨を示す通知を管理者用携帯電話機２００に対して送信する処理（ステップＳ２７）を行ってから図４の処理を終了し、再び図３のステップＳ１からの処理を繰り返す。
【００９８】
他方、指定範囲内であると判定した場合（ステップＳ２６のＹｅｓ）、被管理者用携帯電話機１００が一旦はスケジュールと合致する場所に位置したものの、スケジュールが終了する以前に別の場所（指定範囲内）に移動した旨を示す通知を管理者用携帯電話機２００に対して送信する処理（ステップＳ２８）を行ってから図４の処理を終了し、再び図３のステップＳ１からの処理を繰り返す。
【００９９】
また、上記のステップＳ２５の判定の結果、第２フラグがＯＮではない（ステップＳ２５のＮｏ）と判定された場合、制御部４０は、取得した現在位置情報が示す位置が、予め設定された指定範囲の外であるか否かを判定する処理（ステップＳ２９）を行う。
【０１００】
指定範囲外であると判定した場合（ステップＳ２９のＹｅｓ）、制御部４０は、被管理者用携帯電話機１００がスケジュールと合致する場所に位置することなく指定範囲外に移動した旨を示す通知を管理者用携帯電話機２００に対して送信する処理（ステップＳ３０）を行ってから図４の処理を終了し、再び図３のステップＳ１からの処理を繰り返す。
【０１０１】
他方、指定範囲内であると判定した場合（ステップＳ２９のＹｅｓ）、被管理者用携帯電話機１００が現在のスケジュールと合致しない場所（指定範囲内）に移動した旨を示す通知を管理者用携帯電話機２００に対して送信する処理（ステップＳ３１）を行ってから図４の処理を終了し、再び図３のステップＳ１からの処理を繰り返す。
【０１０２】
また、図３のステップＳ４の判定の結果、何れのスケジュールの時間も到来していないと判定した場合（ステップＳ４のＮｏ）には、図５の処理に移行する。
【０１０３】
図５の処理では、制御部４０では、先ず、現在位置情報の取得動作を前回行ってから所定時間（例えば、１０分）が経過したか否かの判定を行う（ステップＳ４１）。
【０１０４】
前回の取得動作（現在位置情報の取得動作）からの経過時間が所定時間未満の場合（ステップＳ４１のＮｏ）、図５の処理を終了し、再び図３のステップＳ１からの処理を繰り返す。
【０１０５】
前回の取得動作からの経過時間が所定時間以上の場合（ステップＳ４１のＹｅｓ）、制御部４０は、位置情報取得部３０に対して指令を送信し、現在位置情報を取得させる。指令を受けた位置情報取得部３０は、ＧＰＳ衛星３００からの信号電波に基づいて現在位置情報を生成し、該生成した現在位置情報を制御部４０に送信するので、制御部４０は、現在位置情報を位置情報取得部３０より受信する（ステップＳ４２）。
【０１０６】
続いて、制御部４０は、先のステップＳ４２にて位置情報取得部３０より受信した現在位置情報と、前回のスケジュールの場所と、が合致するか否かを判定する（ステップＳ４３）。
【０１０７】
合致すると判定した場合（ステップＳ４３のＹｅｓ）、制御部４０は、（前のスケジュールの終了時間が過ぎたにもかかわらず）被管理者用携帯電話機１００が前回のスケジュールの場所に留まっている旨を示す通知を管理者用携帯電話機２００に対して送信する処理（ステップＳ４４）を行ってから図５の処理を終了し、再び図３のステップＳ１からの処理を繰り返す。
【０１０８】
管理者は、この通知を確認することにより、被管理者用携帯電話機１００が前回のスケジュールの場所に留まっている旨を認識することができる。
【０１０９】
他方、上記のステップＳ４３の判定の結果、合致しないと判定された場合（ステップＳ４３のＮｏ）、制御部４０は、取得した現在位置情報が示す位置が、予め設定された指定範囲の外であるか否かを判定する処理（ステップＳ４５）を行う。
【０１１０】
指定範囲外であると判定した場合（ステップＳ４５のＹｅｓ）、制御部４０は、被管理者用携帯電話機１００が指定範囲外に移動した旨を示す通知を管理者用携帯電話機２００に対して送信する処理（ステップＳ４６）を行ってから図５の処理を終了し、再び図３のステップＳ１からの処理を繰り返す。
【０１１１】
管理者は、この通知を確認することにより、被管理者用携帯電話機１００が指定範囲外に移動した旨を認識することができる。
【０１１２】
他方、指定範囲内であると判定した場合（ステップＳ４５のＮｏ）、図５の処理を終了し、再び図３のステップＳ１からの処理を繰り返す。
【０１１３】
次に、被管理者の具体的なスケジュール及び行動に応じた被管理者用携帯電話機１００の動作の例を説明する。
【０１１４】
例えば、ある日の被管理者のスケジュールとして、「（１）ＰＭ１６：００〜ＰＭ１８：００の間はＡ町のＡ公園で遊ぶ」という第１のスケジュールと、「（２）ＰＭ１８：００〜１９：００の間にＡ町の自宅に帰宅する」という第２のスケジュールが、予め被管理者用携帯電話機１００に設定され、被管理者が被管理者用携帯電話機１００を携帯してＡ公園に行くとする。
【０１１５】
被管理者が、スケジュールを変更せず、且つ、予定通りの行動を取り、しかも、指定範囲外に出なければ、被管理者用携帯電話機１００から管理者用携帯電話機２００宛に通知が送信されることはない。
【０１１６】
すなわち、第１のスケジュールの開始時間以前には、図３のステップＳ１ではＮｏ、ステップＳ４でもＮｏとなるので、実質的に、図５の処理が繰り返される。図５の処理では、所定時間（例えば、１０分）毎にステップＳ４１にてＹｅｓとなるが、その他の時にはステップＳ４１にてＮｏとなり、図３のステップＳ１からの繰り返しとなる。ステップＳ４１にてＹｅｓとなる度に、すなわち、所定時間毎に、現在位置情報が取得される（ステップＳ４２）が、続くステップＳ４３ではＮｏとなり、ステップＳ４５でもＮｏとなるので、図３のステップＳ１からの繰り返しとなる。すなわち、被管理者用携帯電話機１００から管理者用携帯電話機２００に通知は送信されない。
【０１１７】
また、第１のスケジュールの開始時間が到来すると、図３のステップＳ１ではＮｏ、ステップＳ４ではＹｅｓ、ステップＳ５ではＮｏとなるので、第１のスケジュールの開始時間である旨の報知が被管理者用携帯電話機１００にて行われ（ステップＳ６）、ステップＳ７（ＯＮとなっているフラグをＯＦＦ）を経て図４のステップＳ１１ではＮｏとなり、現在位置情報が取得される（ステップＳ１２）。更に、ステップＳ１３（第１のフラグをＯＮ）を経てステップＳ１４ではＹｅｓとなるので、ステップＳ１５（第２のフラグをＯＮ）を経て図３のステップＳ１に戻る。続いて、ステップＳ１ではＮｏ、ステップＳ４ではＹｅｓ、ステップＳ５ではＹｅｓ、図４のステップＳ１１ではＹｅｓとなり、ステップＳ２１に移行する。図４の処理では、所定時間（例えば、１０分）毎にステップＳ２１にてＹｅｓとなるが、その他の時にはステップＳ２１にてＮｏとなり、図３のステップＳ１からの繰り返しとなる。ステップＳ２１にてＹｅｓとなる度に、すなわち、所定時間毎に、現在位置情報が取得される（ステップＳ２２）が、続くステップＳ２３ではＹｅｓとなるので、ステップＳ２４（第２のフラグをＯＮ）を経て図３のステップＳ１からの繰り返しとなる。すなわち、被管理者用携帯電話機１００から管理者用携帯電話機２００に通知は送信されない。
【０１１８】
また、第２のスケジュールの開始時間が到来すると、図３のステップＳ１ではＮｏ、ステップＳ４ではＹｅｓ、ステップＳ５ではＮｏとなるので、第２のスケジュールの開始時間である旨の報知が被管理者用携帯電話機１００にて行われ（ステップＳ６）、ステップＳ７（第１及び第２のフラグをＯＦＦ）を経て図４のステップＳ１１ではＮｏとなり、現在位置情報が取得される（ステップＳ１２）。更に、ステップＳ１３を経てステップＳ１４ではＹｅｓとなるので、ステップＳ１５を経て図３のステップＳ１に戻る。続いて、ステップＳ１ではＮｏ、ステップＳ４ではＹｅｓ、ステップＳ５ではＹｅｓ、図４のステップＳ１１ではＹｅｓとなり、ステップＳ２１に移行する。図４の処理では、所定時間（例えば、１０分）毎にステップＳ２１にてＹｅｓとなるが、その他の時にはステップＳ２１にてＮｏとなり、図３のステップＳ１からの繰り返しとなる。ステップＳ２１にてＹｅｓとなる度に、すなわち、所定時間毎に、現在位置情報が取得される（ステップＳ２２）が、続くステップＳ２３ではＹｅｓとなるので、ステップＳ２４を経て図３のステップＳ１からの繰り返しとなる。すなわち、被管理者用携帯電話機１００から管理者用携帯電話機２００に通知は送信されない。
【０１１９】
しかし、例えば、被管理者がＰＭ１８：００より前に帰宅をしようとして予定変更（操作）を行うと、その旨を示す予定変更通知が被管理者用携帯電話機１００から管理者用携帯電話機２００宛に送信されるので、管理者はその旨を認識することができる。これは、図３のステップＳ１にてＹｅｓとなり、ステップＳ２（スケジュール変更）及びステップＳ３（スケジュール変更の旨の通知）の処理が実行されるためである。
【０１２０】
また、ＰＭ１８：００を過ぎ、第２のスケジュールの開始時間が到来すると、被管理者用携帯電話機１００では、その旨の報知がなされる（図３のステップＳ６）が、例えばそのときに、被管理者がＡ公園にいる時間を「１８：００迄」から「２０：００迄」に変更する操作を行うと、予定が変更されたという予定変更通知が被管理者用携帯電話機１００から管理者用携帯電話機２００宛に送信されるので、管理者はその旨を認識することができる。これは、次のサイクルの図３のステップＳ１にてＹｅｓとなり、ステップＳ２及びステップＳ３の処理が実行されるためである。
【０１２１】
また、ＰＭ１８：００を過ぎて第２のスケジュールの開始時間が到来しても予定変更（操作）を行なわずに被管理者が第１のスケジュールの場所（Ａ公園）に留まっていると、被管理者用携帯電話機１００が前回のスケジュール（第１のスケジュール）の終了時間を超えて、前回のスケジュールの場所（Ａ公園）に留まっており、取得した現在位置情報が現在のスケジュール（第２のスケジュール）の場所（帰宅路）と合致しない旨を示す通知が被管理者用携帯電話機１００から管理者用携帯電話機２００宛に送信されるので、管理者はその旨を認識することができる。これは、図３のステップＳ４ではＹｅｓとなり、ステップＳ５ではＹｅｓとなり、ステップＳ６の処理（開始時間の報知）及びステップＳ７（フラグＯＦＦ）を経て図４のステップＳ１１ではＮｏとなり、ステップＳ１２の位置情報取得処理及びステップＳ１３（第１フラグＯＮ）を経てステップＳ１４ではＮｏとなり、ステップＳ１６ではＹｅｓとなり、ステップＳ２０の処理が実行されるためである。
【０１２２】
また、被管理者がＰＭ１７：００まではＡ公園にいて、そこから数キロ離れ、指定範囲外に位置するＢ町のＢ公園に移動をしようとすると、一旦は被管理者用携帯電話機１００がスケジュールと合致する場所に位置していたものの、スケジュールが終了する以前に指定範囲外に移動した旨を示す通知が、被管理者用携帯電話機１００から管理者用携帯電話機２００に対して送信されるので、管理者はその旨を認識することができる。これは、図３のステップＳ４ではＹｅｓとなり、ステップＳ５ではＹｅｓとなり、図４のステップＳ１１ではＹｅｓとなり、所定時間毎にステップＳ２１にてＹｅｓとなり、ステップＳ２２（現在位置情報取得）を経てステップＳ２３ではＮｏとなり、ステップＳ２５ではＹｅｓとなり、ステップＳ２６ではＹｅｓとなり、ステップＳ２７の処理が実行されるためである。
【０１２３】
或いは、被管理者がＰＭ１７：００まではＡ公園にいた後、Ａ公園から離れ、且つ、指定範囲内の場所へと被管理者が移動すると、その旨が被管理者用携帯電話機１００から管理者用携帯電話機２００に通知されるので、管理者はその旨を認識することができる。これは、図４のステップＳ２８の処理が実行されるためである。
【０１２４】
また、例えば、そもそも第１のスケジュールの開始時間から被管理者がＡ公園以外の場所にいる場合、その場所が指定範囲内であれば、ステップＳ１９及びステップＳ３１の処理が実行されることにより、管理者はその旨を認識することができる一方で、その場所が指定範囲外であっても、ステップＳ１８及びステップＳ３０の処理が実行されることにより、やはり、管理者はその旨を認識することができる。
【０１２５】
管理者は、被管理者がスケジュール通りに行動していないことや、指定範囲外に移動したことを認識した場合には、例えば、被管理者用携帯電話機１００に対して連絡（通話やメールなど）を行うことにより、直ちに、被管理者に注意を促すことができる。
【０１２６】
以上のような第１の実施形態によれば、被管理者が所持する被管理者用携帯電話機１００は、スケジュールの時間帯となった場合に、位置情報取得部２０により現在位置情報を取得し、該取得した現在位置情報がスケジュールと合致するか否かを判定し（ステップＳ１４、Ｓ２３）、スケジュールと合致しないと判定した場合には、その旨を、管理者が所持する管理者用携帯電話機２００宛に通知するので（ステップＳ１８、Ｓ１９、Ｓ２０、Ｓ２７、Ｓ２８、Ｓ３０、Ｓ３１）、管理者は、被管理者がスケジュールと合致しない行動をとった場合に、直ちにその旨を認識することができる。よって、管理者は、直ちに被管理者に対して連絡を行ったり、事件発生を認識して行方を追跡したり、早期に調査に取り組み始めたりすることができる。また、例えば、誘拐事件などで隣町などに連れ去られた際には、何処に連れ去られたのかを認識することができる。
【０１２７】
また、被管理者用携帯電話機１００の現在位置情報を取得する動作と、取得した現在位置情報がスケジュールと合致するか否かを判定する動作と、スケジュールと合致しないと判定した場合にその旨を管理者用携帯電話機２００宛に通知する動作と、を全て被管理者用携帯電話機１００が行うので、例えば特許文献１，２における中央コンピュータや管理装置に相当する構成が不要となる。
【０１２８】
更に、被管理者用携帯電話機１００にてスケジュールの変更操作が可能であるとともに、スケジュールが変更された場合にも、その旨及び変更内容が被管理者用携帯電話機１００から管理者用携帯電話機２００に通知されるので、被管理者がスケジュールを変更することが可能であるとともに、スケジュールが変更された場合、管理者は速やかにその旨を認識することができる。
【０１２９】
また、被管理者用携帯電話機１００は、位置情報取得部２０により取得される位置情報に基づいて、当該被管理者用携帯電話機１００が予め設定された指定範囲外に位置するか否かを例えば所定時間（例えば１０分）毎に監視し（ステップＳ１７、Ｓ２６、Ｓ２９、Ｓ４５）、当該被管理者用携帯電話機１００が指定範囲外に位置していると判定した場合に、その旨を、管理者用携帯電話機２００に通知するので、管理者はその旨を認識することができる。
【０１３０】
また、被管理者用携帯電話機１００は、当該被管理者用携帯電話機１００が、管理されたスケジュールと合致する場所に、当該スケジュールの時間を超えて留まっているか否かの判定（ステップＳ１６、Ｓ４３）も行い、留まっていると判定した場合にも、その旨を、管理者用携帯電話機２００に通知するので、管理者はその旨を認識することができる。
【０１３１】
また、被管理者用携帯電話機１００は、当該被管理者用携帯電話機１００が、管理されたスケジュールが終わる以前に、当該スケジュールとは合致しない場所に移動したか否かの判定（ステップＳ２３→ステップＳ２５→ステップＳ２６）も行い、スケジュールが終わる以前に当該スケジュールとは合致しない場所に当該被管理者用携帯電話機１００が移動したと判定した場合にも、その旨を、管理者用携帯電話機２００に通知するので、管理者はその旨を認識することができる。
【０１３２】
〔第２の実施形態〕
上記の第１の実施形態では、スケジュールの変更を被管理者用携帯電話機１００にて行う例を説明したが、本実施形態では、管理者用携帯電話機（外部の装置）２００からの指令に応じて、被管理者用携帯電話機１００にてスケジュールの変更処理を行う例について説明する。
【０１３３】
本実施形態の場合、管理者用携帯電話機２００は、被管理者用携帯電話機１００により管理されるスケジュールを変更する権限を有している。
【０１３４】
すなわち、管理者用携帯電話機２００にて、被管理者用携帯電話機１００により管理されるスケジュールを変更する操作がなされると、管理者用携帯電話機２００は、被管理者用携帯電話機１００により管理されるスケジュールの変更を指示する通知（以下、スケジュール変更通知）を、管理者用携帯電話機１００宛に送信する。
【０１３５】
この通知を受けた被管理者用携帯電話機１００の制御部４０は、スケジュールを変更する処理を行う一方で、スケジュールが管理者により変更された旨を、例えば表示部６０や発音部７０にて報知する処理を行う。
【０１３６】
これにより、被管理者は、スケジュールが変更された旨を認識することができる。
【０１３７】
図６は、第２の実施形態の場合の被管理者用携帯電話機１００の動作を示す一連のフローチャートのうちの一部を示す図である。
【０１３８】
第２の実施形態の場合の被管理者用携帯電話機１００の動作は、図３の処理を図６の処理に置き換える点の他は、上記の第１の実施形態と同様である。
【０１３９】
図６の処理が開始されると、先ず、被管理者用携帯電話機１００の制御部４０は、管理者用携帯電話機２００からのスケジュール変更通知を受信したか否かを判定する（ステップＳ５１）。
【０１４０】
スケジュール変更通知を受信したと判定した場合には（ステップＳ５１のＹｅｓ）、制御部４０は、該当するスケジュールの内容を変更する処理を行う（ステップＳ５２）一方で、そのスケジュールが変更された旨及びその変更内容（用件、時間、場所など）を表示部６０或いは発音部７０に行わせる。
【０１４１】
すなわち、具体的には、例えば、発音部７０にアラーム音を発音させるとともに、表示部６０にポップアップメッセージを表示させることにより、報知を行う。これにより、被管理者は、スケジュールが変更された旨及びその変更内容を認識することができる。
【０１４２】
他方、スケジュールの変更通知を受信していない場合には（ステップＳ５１のＮｏ）、ステップＳ５２及びＳ５３をスキップする。
【０１４３】
以後の処理は、第１の実施形態と同様である。
【０１４４】
以上のような第２の実施形態によれば、被管理者のスケジュールの変更を管理者が行うことができる。
【０１４５】
なお、上記の第２の実施形態では、管理者によりスケジュールが変更された場合に、被管理者用携帯電話機１００にてその旨を報知する例を説明したが、この報知は行わないようにしても良い。この場合、管理者が、管理者用携帯電話機１００を操作することにより被管理者用携帯電話機１００のスケジュールを変更するとともに、例えば、メールや通話でスケジュールを変更した旨及びその変更内容を伝えるようにすれば良い。
【０１４６】
また、第２の実施形態は、上記の第１の実施形態と組み合わせても良い。すなわち、被管理者用携帯電話機１００では、操作部５０に対するスケジュールの変更操作を受け付けるか、又は、管理者用携帯電話機（外部の装置）２００からのスケジュール変更指示を受けた場合に、スケジュールの変更処理を行うようにしても良い。この場合、操作部５０に対する操作に基づきスケジュールの変更処理を行った場合には、スケジュールが変更された旨及びその変更内容を管理者用携帯電話機２００に対して通知する一方で、管理者用携帯電話機２００からのスケジュール変更指示に基づきスケジュールの変更処理を行った場合には、スケジュールが変更された旨及びその変更内容を被管理者用携帯電話機１００にて報知（例えば、表示部６０や発音部７０にて報知）するようにすればよい。
【０１４７】
〔第３の実施形態〕
第３の実施形態では、被管理者用携帯電話機１００にてスケジュールの追加操作を行った場合に、その旨の通知を被管理者用携帯電話機１００から管理者用携帯電話機２００に対して送信し、該通知を受けた管理者用携帯電話機２００では、被管理者用携帯電話機１００のスケジュールを管理する例について説明する。
【０１４８】
本実施形態の場合、管理者用携帯電話機２００は、被管理者用携帯電話機１００により管理されるスケジュールを管理する機能を有している。
【０１４９】
すなわち、被管理者用携帯電話機１００にて、新たなスケジュールを追加する操作がなされると、被管理者用携帯電話機１００の制御部４０は、該スケジュールを追加する処理を行うとともに、該スケジュールの内容（日時、場所、用件）を管理者用携帯電話機２００に対して通知する処理を行う。
【０１５０】
この通知を受けた管理者用携帯電話機２００では、被管理者用携帯電話機１００にて新たなスケジュールが追加された旨及びその内容（日時、場所、用件）を報知する処理を行う。
【０１５１】
管理者は、この報知を確認することにより、被管理者が新たなスケジュールを追加した旨及びそのスケジュールの内容（日時、場所、用件）を認識することができる。
【０１５２】
また、通知を受けた管理者用携帯電話機２００は、追加された新たなスケジュールを新たに登録する処理を行う。
【０１５３】
管理者は、被管理者用携帯電話機１００のスケジュールを管理する管理機能を起動することにより、登録されている全てのスケジュール（被管理者のスケジュール）を確認することができる。
【０１５４】
図７は、第３の実施形態の場合の被管理者用携帯電話機１００の動作を示す一連のフローチャートのうちの一部を示す図である。
【０１５５】
第３の実施形態の場合の被管理者用携帯電話機１００の動作は、図３の処理を図７の処理に置き換える点の他は、上記の第１の実施形態と同様である。
【０１５６】
図７の処理が開始されると、先ず、被管理者用携帯電話機１００の制御部４０は、操作部３０に対するスケジュールの追加操作又は変更操作がなされたか否かを判定する（ステップＳ６１）。
【０１５７】
スケジュールの追加操作又は変更操作がなされたと判定した場合には（ステップＳ６１のＹｅｓ）、制御部４０は、該当するスケジュールの内容を追加又は変更する処理を行う（ステップＳ６２）。
【０１５８】
スケジュールが追加された場合、スケジュールが追加された旨及びその内容（用件、時間、場所など）を管理者用携帯電話機２００に対して通知する処理（ステップＳ６３）を無線部１０との協働で行う。
【０１５９】
同様に、スケジュールが変更された場合、スケジュールが変更された旨及びその変更内容（用件、時間、場所など）を管理者用携帯電話機２００に対して通知する処理（ステップＳ６３）を無線部１０との協働で行う。
【０１６０】
他方、スケジュールの追加操作と変更操作の何れもない場合には（ステップＳ６１のＮｏ）、ステップＳ６２及びＳ６３をスキップする。
【０１６１】
以後の処理は、第１の実施形態と同様である。
【０１６２】
以上のような第３の実施形態によれば、被管理者用携帯電話機１００にて新たなスケジュールの追加操作がなされる度に、その旨及び追加されたスケジュールの内容が管理者用携帯電話機２００宛に通知されるので、管理者は直ちにその旨及び内容を認識することができる。
【０１６３】
〔第４の実施形態〕
上記の第３の実施形態では、被管理者用携帯電話機１００でのスケジュール追加操作に応じて新たなスケジュールが追加される例について説明したが、本実施形態では、管理者用携帯電話機２００からの指令に応じて、被管理者用携帯電話機１００にてスケジュールの追加処理を行う例について説明する。
【０１６４】
本実施形態の場合、管理者用携帯電話機２００は、被管理者用携帯電話機１００により管理されるスケジュールを追加する権限を有している。
【０１６５】
すなわち、管理者用携帯電話機２００にて、被管理者用携帯電話機１００により管理されるスケジュールを追加する操作がなされると、管理者用携帯電話機２００は、被管理者用携帯電話機１００により管理されるスケジュールの追加を指示する通知（以下、スケジュール追加通知）を、管理者用携帯電話機１００宛に送信する。
【０１６６】
この通知を受けた被管理者用携帯電話機１００の制御部４０は、スケジュールを追加する処理を行う一方で、スケジュールが管理者により追加された旨を、例えば表示部６０や発音部７０にて報知する処理を行う。
【０１６７】
これにより、被管理者は、スケジュールが追加された旨を認識することができる。
【０１６８】
以上のような第４の実施形態によれば、被管理者のスケジュールの追加を管理者が行うことができる。
【０１６９】
なお、上記の第４の実施形態では、管理者によりスケジュールが追加された場合に、被管理者用携帯電話機１００にてその旨を報知する例を説明したが、この報知は行わないようにしても良い。この場合、管理者が、管理者用携帯電話機１００を操作することにより被管理者用携帯電話機１００のスケジュールを追加するとともに、例えば、メールや通話でスケジュールを追加した旨及びその内容を伝えるようにすれば良い。
【０１７０】
〔第５の実施形態〕
上記の各実施形態では、管理対象が人（被管理者）である例を説明したが、管理対象は人に限らず、例えば、犬や猫などのペット（飼育動物）であっても良い。
【０１７１】
本実施形態では、管理対象がペットである場合を例として、以下に説明する。
【０１７２】
本実施形態の場合、ペット（管理対象）が携帯する携帯端末（図示略）は、例えば、当該携帯端末をペットの首に装着するための首輪部（装着部：図示略）を備えて構成されている。
【０１７３】
本実施形態の場合、ペットが携帯する携帯端末は、携帯電話機である必要はなく、例えば、図２に示す携帯電話機１００から通話機能などを除いたものである。
【０１７４】
また、ペットが携帯する携帯端末は、例えば、図２に示す構成要素のうち、操作部５０、表示部６０及び発音部７０は、備えていなくても良い。
【０１７５】
ただし、ペットが携帯する携帯端末は、操作部５０、表示部６０及び発音部７０を備えていることも好ましい。これは、ペットが携帯する携帯端末を管理者が操作することにより、容易にスケジュールの登録や変更操作を行ったり、或いは、スケジュールの登録・変更が正しく行われたことの確認ができるからである。
【０１７６】
本実施形態の場合、例えば、ペットに餌を与えることを、ペットが携帯する携帯端末にスケジュールとして登録し、該携帯端末をペットに携帯させることにより、そのスケジュールの時間に、設定された指定範囲内にそのペットがいるかどうかなど、ペットの居場所を特定することができる。
【０１７７】
すなわち、スケジュールの時間に、指定範囲内にそのペットがいない場合には、ペットが携帯する携帯端末から管理者用携帯電話機１００宛にその旨の通知が送信されるので、管理者（飼い主など）は、その旨を認識することができる。
【０１７８】
また、例えば、餌を与える旨を意味する飼い主の声（或いは日常的に餌を与えるものの声）を予め音声データとして、ペットが携帯する携帯端末に登録しておき、餌の時間にペットが指定範囲内にいない場合には、その音声を発音部により発音させることも好ましい。
【０１７９】
以上のような第５の実施形態によれば、管理対象がペットである場合に、その居場所を監視することができる。
【０１８０】
また、携帯端末をペットに装着するための首輪部を備えるので、該携帯端末を好適にペットに携帯させることができる。
【０１８１】
なお、上記の第５の実施形態では、携帯端末の装着部が首輪部を備える例を説明したが、装着部はこの例に限らず、例えば、足輪であっても良い。或いは、携帯端末は装着部を備えていなくても良い。この場合、例えば、ペットの首に吊すための紐付きの袋の中に携帯端末を入れることにより、該携帯端末をペットに携帯させることができる。
【０１８２】
また、上記の第１乃至第４の実施形態では、被管理者が所持する携帯端末として、携帯電話機（被管理者用携帯電話機１００）を例示したが、本発明はこの例に限らず、被管理者が携帯する携帯端末は、例えば、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙ  ｐｈｏｎｅ  Ｓｙｓｔｅｍ）などであっても良い。
【０１８３】
また、上記の第１乃至第４の実施形態では、通知先として、管理者が所持する携帯端末（例えば、管理者用携帯電話機２００）を例示したが、本発明はこの例に限らず、例えば、管理者が所持するパーソナルコンピュータなどの（携帯式ではない）端末装置であっても良い。或いは、通知先は、例えば、予め契約しておいた警備会社の監視システムなどであっても良い。
【０１８４】
また、上記の第１乃至第４の実施形態では、現在位置情報がスケジュールと合致しない場合に、管理者宛の通知（ステップＳ１８、Ｓ１９、Ｓ２０、Ｓ２７、Ｓ２８、Ｓ３０、Ｓ３１、Ｓ４４、Ｓ４６）のみを行う例を説明したが、管理者宛の通知だけでなく、被管理者に対する報知も行うようにしても良い。すなわち、上記のステップＳ１８、Ｓ１９、Ｓ２０、Ｓ２７、Ｓ２８、Ｓ３０、Ｓ３１、Ｓ４４、Ｓ４６では、それぞれ、現在位置情報がスケジュールと合致しない旨を被管理者用携帯電話機１００にて報知することも好ましい。なお、合致しない旨の報知は、具体的には、例えば、発音部７０にアラーム音を発音させたり、或いは、表示部６０にポップアップメッセージを表示させたりすることにより行う。
【０１８５】
また、上記の各実施形態では、管理対象の携帯端末（被管理者用携帯電話機１００、ペットが携帯する携帯端末）が、ＧＰＳ受信機などを備える位置情報取得部２０を備える例を説明したが、本発明は、この例に限らず、例えば、携帯端末に最も近い基地局４００の情報に基づいて、携帯端末の位置情報を生成するようにしても良い。
【０１８６】
また、上記の各実施形態では、管理対象の携帯端末（被管理者用携帯電話機１００、ペットが携帯する携帯端末は、）が指定範囲外に移動した場合にも、ステップＳ２１、ステップＳ４１にて判定する所定時間の長さが変化しない例を説明したが、管理対象の携帯端末が指定範囲外に移動した場合には、図４のステップＳ２１及び図５のステップＳ４１にて判定する所定時間の長さを短縮することも好ましい（例えば、通常時には１０分であるところを１分に短縮するなど）。これにより、管理者は、非常時において、管理対象の携帯端末の一層正確な現在位置をリアルタイムに認識することができる。
【図面の簡単な説明】
【０１８７】
【図１】第１の実施形態に係る位置管理システムの構成を示す模式図である。
【図２】図１の位置管理システムにおける被管理者の携帯端末の主要な構成を示すブロック図である。
【図３】図２の携帯端末の動作を示す一連のフローチャートの一部を示す図である。
【図４】図２の携帯端末の動作を示す一連のフローチャートの一部を示す図である。
【図５】図２の携帯端末の動作を示す一連のフローチャートの一部を示す図である。
【図６】第２の実施形態の場合の携帯端末の動作を示すフローチャートである。
【図７】第３の実施形態の場合の携帯端末の動作を示すフローチャートである。
【符号の説明】
【０１８８】
１００    被管理者用携帯電話機（携帯端末）
１０      無線部（通知手段）
２０      位置情報取得部（位置情報取得手段）
４０      制御部（スケジュール管理手段、管理スケジュール変更手段、判定手段、通知手段、監視手段）
５０      操作部
６０      表示部（報知手段）
７０      発音部（報知手段）
２００    管理者用携帯電話機（予め設定された通知先、管理者の端末装置）
【図１】
2006174013.tif 000003
【図２】
2006174013.tif 000004
【図３】
2006174013.tif 000005
【図４】
2006174013.tif 000006
【図５】
2006174013.tif 000007
【図６】
2006174013.tif 000008
【図７】
2006174013.tif 000009